(57)【特許請求の範囲】
【請求項１】
表示部と、前記表示部への接触物の接触を検出する接触検出部とを有し、
前記表示部が円筒状に変形された第１状態と、前記表示部が円筒状に変形されていない第２状態とを有する携帯電子機器であって、
前記第１状態において、前記表示部に前記接触物が接触した場合には、前記表示部上の接触された部位の近傍を表示領域として画像を表示し、前記表示部上の前記表示領域以外の部位を非表示領域とし、
前記第１状態における第１アプリケーションの前記画像の表示中に、前記円筒状の中心軸に沿った回転が検出された場合には、前記回転させた角度に応じて前記表示領域を移動させ、かつ前記表示領域の前記画像を、前記回転させた角度に基づいて前記第１アプリケーションとは異なる第２アプリケーションの画像へ変更する携帯電子機器。
【請求項２】
前記接触物が指の場合、当該指の指先が前記表示部に接触したとき、前記指先側を前記画像の上側として表示する請求項１に記載の携帯電子機器。
【請求項３】
表示部と、接触検出部とを有し、前記表示部が円筒状に変形された第１状態と、前記表示部が円筒状に変形されていない第２状態とを有する携帯電子機器の制御方法であって、
前記接触検出部によって前記表示部への接触物の接触を検出するステップと、
前記第１状態において、前記表示部に接触物が接触した場合には、前記表示部上の接触された部位の近傍を表示領域として画像を表示し、前記表示部上の前記表示領域以外の部位を非表示領域とするステップと、
前記第１状態における第１アプリケーションの前記画像の表示中に、前記円筒状の中心軸に沿った回転が検出された場合には、前記回転させた角度に応じて前記表示領域を移動させ、かつ前記表示領域の前記画像を、前記回転させた角度に基づいて前記第１アプリケーションとは異なる第２アプリケーションの画像へ変更するステップと
を含む制御方法。
【請求項４】
表示部と、接触検出部とを有し、前記表示部が円筒状に変形された第１状態と、前記表示部が円筒状に変形されていない第２状態とを有する携帯電子機器に、
前記接触検出部によって前記表示部への接触物の接触を検出するステップと、
前記第１状態において、前記表示部に接触物が接触した場合には、前記表示部上の接触された部位の近傍を表示領域として画像を表示し、前記表示部上の前記表示領域以外の部位を非表示領域とするステップと、
前記第１状態における第１アプリケーションの前記画像の表示中に、前記円筒状の中心軸に沿った回転が検出された場合には、前記回転させた角度に応じて前記表示領域を移動させ、かつ前記表示領域の前記画像を、前記回転させた角度に基づいて前記第１アプリケーションとは異なる第２アプリケーションの画像へ変更するステップと
を実行させる制御プログラム。
【発明の詳細な説明】
【技術分野】
【０００１】
本出願は、携帯電子機器、制御方法および制御プログラムに関する。
【背景技術】
【０００２】
スマートウォッチなどの携帯電子機器には、フレキシブルな表示部材（表示部）がユーザの手足の周囲に位置するのに適した細長いサイズに形成されたものがある（例えば、特許文献１）。
【先行技術文献】
【特許文献】
【０００３】
【特許文献１】特開２００６−５１６９１１号公報
【発明の概要】
【発明が解決しようとする課題】
【０００４】
上記の携帯電子機器には、利用者の腕を周回する表示部における表示制御に改善の余地があった。
【課題を解決するための手段】
【０００５】
態様の１つに係る携帯電子機器は、表示部と、前記表示部への接触物の接触を検出する接触検出部とを有し、前記表示部が円筒状に変形された第１状態と、前記表示部が円筒状に変形されていない第２状態とを有する携帯電子機器であって、前記第１状態において、前記表示部に前記接触物が接触した場合には、前記表示部上の接触された部位の近傍を表示領域として画像を表示し、前記表示部上の前記表示領域以外の部位を非表示領域とする。
【０００６】
態様の１つに係る制御方法は、表示部と、接触検出部とを有し、前記表示部が円筒状に変形された第１状態と、前記表示部が円筒状に変形されていない第２状態とを有する携帯電子機器の制御方法であって、前記接触検出部によって前記表示部への接触物の接触を検出するステップと、前記第１状態において、前記表示部に接触物が接触した場合には、前記表示部上の接触された部位の近傍を表示領域として画像を表示し、前記表示部上の前記表示領域以外の部位を非表示領域とするステップとを含む。
【０００７】
態様の１つに係る制御プログラムは、表示部と、接触検出部とを有し、前記表示部が円筒状に変形された第１状態と、前記表示部が円筒状に変形されていない第２状態とを有する携帯電子機器に、前記接触検出部によって前記表示部への接触物の接触を検出するステップと、前記第１状態において、前記表示部に接触物が接触した場合には、前記表示部上の接触された部位の近傍を表示領域として画像を表示し、前記表示部上の前記表示領域以外の部位を非表示領域とするステップとを実行させる。
【図面の簡単な説明】
【０００８】
【図１】図１は、携帯電子機器の一例を示すブロック図である。
【図２】図２は、携帯電子機器の第１状態と第２状態の一例を示す図である。
【図３】図３は、携帯電子機器の第２状態での表示部における表示可能領域の一例を示す図である。
【図４】図４は、携帯電子機器の第２状態での表示部における表示領域の一例を示す図である。
【図５】図５は、携帯電子機器の第２状態での表示部における全てが非表示領域である場合を示す図である。
【図６】図６は、携帯電子機器の第１状態における表示制御の一例を示す図である。
【図７】図７は、携帯電子機器の第１状態における表示制御の一例を示すフローチャートである。
【図８Ａ】図８Ａは、携帯電子機器の第１状態における表示制御の一例を示す図である。
【図８Ｂ】図８Ｂは、携帯電子機器の第１状態における表示制御の一例を示す図である。
【図９】図９は、携帯電子機器の第１状態における表示制御の一例を示すフローチャートである。
【図１０】図１０は、携帯電子機器の第１状態における表示制御の他の一例を示す図である。
【図１１】図１１は、携帯電子機器の第１状態における表示制御の他の一例を示すフローチャートである。
【発明を実施するための形態】
【０００９】
本出願に係る携帯電子機器を実施するための複数の実施形態を、図面を参照しつつ詳細に説明する。携帯電子機器には、例えば、スマートウォッチ、スマートフォン、健康機器、メディアプレイヤ、ナビゲータ、及びゲーム機を含むが、これに限定されない。以下の説明においては、同様の構成要素に同一の符号を付すことがある。さらに、重複する説明は、省略することがある。
【００１０】
図１は、携帯電子機器１の一例を示すブロック図である。図１に示す携帯電子機器１は、例えば、スマートウォッチである。携帯電子機器１は、利用者の手首等に装着される。携帯電子機器１は、表示部２と、接触検出部３と、通信部６と、状態検出部７と、記憶部９と、制御部１０とを有する。携帯電子機器１は、例えば、バッテリーからの電力によって動作する。なお、携帯電子機器１は、例えば、レシーバ、マイク、スピーカ及びカメラ等を有してもよい。
【００１１】
表示部２は、変形可能な表示パネルを含む。表示パネルは、例えば、フレキシブル液晶ディスプレイ、フレキシブル有機ＥＬディスプレイを含む。表示パネルは、変形可能なバンド状部材の表面側に積層されてもよい。表示部２は、制御部１０からの信号に応じて情報を表示できる。表示される情報は、文字、図形及び画像等を含む。
【００１２】
図２は、携帯電子機器１の第１状態と第２状態の一例を示す図である。図２に示すように、表示部２は、利用者の手首、上腕等の装着部に、周回可能な長さのバンドとして形成してもよい。図２に示す例では、表示部２は、携帯電子機器１のバンドとして機能する場合について説明するが、これに限定されない。表示部２は、利用者の装着部に周回可能であればよい。表示部２は、例えば、環状、略長方形状等のどのような形状もとり得る。
【００１３】
表示部２は、第１状態と、第２状態とを含む。第１状態は、例えば、表示部２が略円筒状に変形された状態を含む。すなわち、第１状態は、利用者に装着された装着状態を含む。略円筒状は、例えば、変形された表示部２の開口の断面が円、楕円等の筒を含む。第２状態は、例えば、表示部２が略円筒状に変形されていない状態を含む。すなわち、第２状態は、利用者に装着されていない非装着状態を含む。表示部２は、制御部１０の制御によって第１状態及び第２状態で、各種情報を表示することができる。
【００１４】
表示部２は、第２状態において、利用者の装着部で曲げられて、表示部２の長手方向における一端２ａと他端２ｂとが連結されると、第１状態へ遷移する。表示部２の連結は、例えば、一端２ａ及び他端２ｂに設けられた連結部材を用いて連結されてもよい。連結部材は、例えば、留め具、連結テープ等を含む。表示部２は、第１状態において、連結部材による連結が解除されることで、第２状態へ遷移する。連結部材は、例えば、一端２ａと他端２ｂとが連結しているか否かを電気的に検出する機能を備えてもよい。この場合、連結部材は、一端２ａと他端２ｂとが連結しているか否か示す連結情報を制御部１０に送信してもよい。その結果、制御部１０は、受信した連結情報に基づいて、表示部２の一端２ａと他端２ｂとが連結されているか否かを判定することができる。表示部２は、長手方向に沿って歪みセンサ等を設けてもよい。この場合、制御部１０は、歪みセンサ等によって表示部２が曲げられていることを検出した場合に、第１状態と判定すればよい。
【００１５】
図２に示す例では、表示部２は、一端２ａと他端２ｂとが連結する場合について説明したが、これに限定されない。表示部２は、一端２ａと他端２ｂとが連結しなくてもよい。例えば、表示部２は、一端２ａと他端２ｂとが重なった状態で固定されてもよい。
【００１６】
表示部２は、表示可能領域２０を含む。表示可能領域２０は、例えば、表示部２の表面の全体とすることができる。表示可能領域２０は、表示部２が第１状態の場合に、利用者の装着部を周回する表面全体、或いは、連結部分を除く表面全体とすることができる。表面は、例えば、利用者が視認することができる一面としてもよい。
【００１７】
接触検出部３は、表示部２に対する指、ペン、又はスタイラスペン等の接触物の接触を検出することができる。接触検出部３は、変形可能なタッチスクリーンを含む。接触検出部３は、表示部２の表示可能領域２０の表面全体を覆うように重なって位置している。接触検出部３は、表示可能領域２０の表面全体における接触位置を検出することができる。接触検出部３の長辺は、表示部２の長辺に沿っている。接触検出部３の短辺は、表示部２の短辺に沿っている。接触検出部３の重ね方は、これに限定されない。接触検出部３の長辺及び短辺の少なくとも一方は、表示部２の辺と沿っていなくてもよい。
【００１８】
携帯電子機器１は、接触検出部３により検出された接触、接触が検出された位置、接触が検出された位置の変化、接触が検出された間隔、及び接触が検出された回数の少なくとも１つに基づいてジェスチャの種別を判別してもよい。ジェスチャは、接触検出部３に対して行われる操作を含む。携帯電子機器１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１９】
接触検出部３は、表示可能領域２０における接触領域を検出することができる。携帯電子機器１は、接触検出部３により検出された接触領域の大きさ、形状等を特定してもよい。例えば、携帯電子機器１は、特定した接触領域の大きさ、形状等と予め定められた接触物のパターンとの比較結果に基づいて、接触物の種類を特定してもよい。例えば、接触物のパターンは、表示部２を押圧した時の指先の輪郭パターンを含む。例えば、携帯電子機器１は、接触物が指先であると特定した場合、当該指先の輪郭パターンから指先の向きを推定してもよい。
【００２０】
通信部６は、無線により通信できる。通信部６は、無線通信規格の少なくとも１つをサポートしてもよい。無線通信規格は、例えば、２Ｇ、３Ｇ、４Ｇ等のセルラーフォンの通信規格がある。セルラーフォンの通信規格は、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＺｉｇＢｅｅ（登録商標）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｚ−Ｗａｖｅ、Ｗｉ−Ｓｕｎ（Ｗｉｒｅｌｅｓｓ  Ｓｍａｒｔ  Ｕｔｉｌｉｔｙ  Ｎｅｔｗｏｒｋ）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信部６は、ＷｉＦｉ（登録商標）により近距離無線通信を行うこともできる。近距離無線通信の規格には、ＩＥＥＥ８０２．１１（ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．の略称である）、Ｂｌｕｅｔｏｏｔｈ（登録商標）、ＺｉｇＢｅｅ（登録商標）、ＤＥＣＴ、Ｚ−Ｗａｖｅ、Ｗｉ−Ｓｕｎ等が含まれる。
【００２１】
状態検出部７は、携帯電子機器１状態の変化を検出することができる。状態は、例えば、第１状態における表示部２の姿勢、表示部２の回転角度等を含む。状態検出部７は、例えば、加速度センサ、方位センサ及びジャイロスコープ等を含む。加速度センサは、携帯電子機器１に働く加速度の方向及び大きさを検出できる。方位センサは、地磁気の向きを検出できる。ジャイロスコープは、携帯電子機器１の角度及び角速度を検出できる。加速度センサ、方位センサ及びジャイロスコープの検出結果は、携帯電子機器１の位置及び姿勢の変化を検出するために、組み合わせて利用してもよい。
【００２２】
携帯電子機器１は、表示部２が第１状態である場合、状態検出部７の検出結果に基づいて、円筒状の表示部２の中心軸に沿った回転、回転角度等を検出することができる。例えば、中心軸に沿った回転は、利用者が携帯電子機器１を装着した腕を回転させた場合等に生じる。携帯電子機器１は、第１状態である場合、検出した回転、回転角度等に基づいて、表示部２の姿勢の変化を検出することができる。
【００２３】
記憶部９は、プログラム及びデータを記憶できる。記憶部９は、制御部１０の処理結果を一時的に記憶する作業領域としても利用してもよい。記憶部９は、記憶媒体を含む。記憶媒体は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２４】
記憶部９は、例えば、制御プログラム９ａ、時計アプリケーション９ｂ、メールアプリケーション９ｃ、表示領域データ９ｙ、及び設定データ９ｚを記憶できる。制御プログラム９ａは、携帯電子機器１を稼働させるための各種制御に関する機能を提供できる。時計アプリケーション９ｂは、日時等を表示するための時計機能を提供する。メールアプリケーション９ｃは、電子メールの作成、送信、受信および表示等のための電子メール機能を提供する。表示領域データ９ｙは、表示部２の表示可能領域２０における表示領域に関する情報を含む。設定データ９ｚは、携帯電子機器１の動作に関する各種の設定に関する情報を含む。記憶部９は、接触検出部３及び状態検出部７によって検出された情報を記憶できる。
【００２５】
制御プログラム９ａが提供する機能は、例えば、表示部２、接触検出部３、通信部６、状態検出部７等の制御を含む。制御プログラム９ａが提供する機能は、例えば、利用者のジェスチャを検出する機能を含む。利用者のジェスチャについては、後述する。制御プログラム９ａが提供する機能は、例えば、時計アプリケーション９ｂ、メールアプリケーション９ｃ等の他のプログラムが提供する機能と組み合わせて利用してもよい。
【００２６】
表示領域データ９ｙは、例えば、表示部２の表示可能領域２０における表示領域の位置、領域等を示す情報を含む。表示領域データ９ｙは、表示可能領域２０において表示領域が移動した場合に、制御部１０によって更新することができる。表示領域データ９ｙは、表示領域が消去されると、クリアされる。
【００２７】
設定データ９ｚは、例えば、表示可能領域２０において表示領域を移動可能とするか否かを示す情報を含んでもよい。携帯電子機器１は、表示領域を移動可能とすることが設定データ９ｚに設定されている場合、表示可能領域２０において表示領域を移動させることができる。携帯電子機器１は、表示領域を移動不能とすることが設定データ９ｚに設定されている場合、表示可能領域２０の全面または所定の一部を表示領域とすることができる。設定データ９ｚは、例えば、表示領域のサイズを示す情報を含んでもよい。
【００２８】
制御部１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。ＳｏＣは、表示部２、通信部６等の他の構成要素が統合されていてもよい。制御部１０は、携帯電子機器１の動作を各種デバイスと協働して統括的に制御できる。各種の機能は、制御部１０の制御に基づいて実現される。
【００２９】
具体的には、制御部１０は、記憶部９に記憶されているプログラムに含まれる命令を実行できる。制御部１０は、記憶部９に記憶されているデータを必要に応じて参照できる。制御部１０は、データ及び命令に応じて機能部を制御する。制御部１０は、機能部を制御することによって、各種機能を実現する。機能部は、例えば、表示部２及び通信部６を含むが、これらに限定されない。制御部１０は、検出部の検出結果に応じて、制御を変更することができる。検出部は、例えば、接触検出部３及び状態検出部７を含むが、これらに限定されない。
【００３０】
携帯電子機器１の表示部２における表示領域の一例について説明する。図３は、携帯電子機器１の第２状態での表示部２における表示可能領域２０の一例を示す図である。図４は、携帯電子機器１の第２状態での表示部２における表示領域の一例を示す図である。図５は、携帯電子機器１の第２状態での表示部２における全てが非表示領域である場合を示す図である。
【００３１】
図３に示す例では、表示部２は、表示可能領域２０の全面が接触検出部３に覆われている。表示可能領域２０は、複数の分割領域２１−１〜２１−ｍを有する。ｍは、自然数である。複数の分割領域２１−１〜２１−ｍは、表示可能領域２０を同一のサイズで分割した領域とすることができる。以下の説明では、複数の分割領域２１−１〜２１−ｍを区別しない場合、分割領域２１と記載する。
【００３２】
携帯電子機器１は、表示部２の表示可能領域２０の全面を表示させることができる。携帯電子機器１は、複数の分割領域２１−１〜２１−ｍのうち、一部の分割領域２１を、１つの表示領域２２とすることができる。一部の分割領域２１は、１つまたはｍより小さな数の分割領域２１とすることができる。一部の分割領域２１は、例えば、利用者が指定した位置に基づいて規定される。表示領域２２は、所定の画像を表示することができる。所定の画像は、例えば、特定のアプリケーションに関する情報を示す画像を含む。特定のアプリケーションは、例えば、時計、メール、スケジュール及び健康管理等のアプリケーションを含む。所定の画像は、例えば、利用者が予め設定したアプリケーションに関する情報を示す画像とすることができる。所定の画像は、例えば、利用者の認証を行うための画像とすることができる。
【００３３】
図４に示す例では、携帯電子機器１は、３つの分割領域２１−８、２１−９及び２１−１０を１つの表示領域２２としている。携帯電子機器１は、表示可能領域２０における表示領域２２以外の領域を非表示領域２３としている。非表示領域２３は、例えば、当該非表示領域２３のバックライト等を駆動させない場合を含んでもよい。非表示領域２３は、例えば、当該非表示領域２３を所定の画像等でマスクする場合を含んでもよい。所定の画像は、例えば、腕時計のベルト、壁紙等を示す画像を含んでもよい。
【００３４】
例えば、利用者が所定時間にわたって利用しない場合、電源オフの操作を受け付けた場合等に、携帯電子機器１は、表示可能領域２０の全てを非表示領域２３とすることができる。図５に示す例では、携帯電子機器１は、表示可能領域２０の全てを非表示領域２３としているが、これに限定されない。例えば、携帯電子機器１は、表示領域２２を狭め、非表示領域２３を広げるようにしてもよい。
【００３５】
携帯電子機器１により実行される表示部２の表示制御の一例について説明する。図６は、携帯電子機器１の第１状態における表示制御の一例を示す図である。
【００３６】
図６に示すステップＳ１１では、利用者は、表示部２を略円筒形状に変形させた携帯電子機器１を手首に装着している。利用者は、手の甲を上に向けた状態を維持している。携帯電子機器１は、ステップＳ１１として、第１状態の表示部２の全面を非表示領域２３とした状態で、接触検出部３によって表示部２に対する接触を監視することができる。
【００３７】
ステップＳ１２では、利用者は、手の甲を上に向けた状態を維持したまま、他の手の指Ｆで表示領域２２としたい表示部２の表面の位置をタッチしている。このとき、利用者の指Ｆは、第１状態の表示部２の周方向における一方を指している。
【００３８】
携帯電子機器１は、ステップＳ１２として、接触検出部３を介して表示部２に対するタッチジェスチャを検出できる。携帯電子機器１は、接触検出部３の検出結果に基づいて、表示部２に対する接触位置を特定できると、当該接触位置の近傍を表示領域２２として決定できる。例えば、図４に示すように、検出した接触位置が分割領域２１−９であった場合、携帯電子機器１は、分割領域２１−９に隣接する分割領域２１−８〜２１−１０を表示領域２２としてもよい。携帯電子機器１は、表示領域２２以外の分割領域２１を非表示領域２３としてもよい。
【００３９】
図６に示す例では、携帯電子機器１は、表示部２の接触位置に対応した分割領域２１とその両側の分割領域２１を含む領域を表示領域２２とする場合について説明するが、これに限定されない。表示領域２２の決定方法は、例えば、表示部２の接触位置に対応した分割領域２１を先頭として表示領域２２を決定する方法を含む。表示領域２２の決定方法は、例えば、表示部２の接触位置に対応した分割領域２１のみを表示領域２２とする方法を含む。表示領域２２の決定方法は、例えば、表示可能領域２０における位置に応じて表示領域２２の大きさが異なるように表示領域２２を決定する方法を含む。
【００４０】
携帯電子機器１は、接触検出部３の検出結果に基づいて、接触物の形状を解析できる。接触物の形状が指先のパターンと一致している場合、携帯電子機器１は、接触物の形状に基づいて指先の向きを推定できる。ステップＳ１２に示す例では、利用者の指先は、第１状態の表示部２における周方向２０Ｃの一方向を指示している。この場合、携帯電子機器１は、指先が指示している周方向２０Ｃの一方向を、表示領域２２の上方向と決定できる。なお、携帯電子機器１は、指先の向きを推定しない、あるいは指先の向きを推定できない場合、予め定められた方向を表示領域２２の上方向とすることができる。
【００４１】
携帯電子機器１は、ステップＳ１３として、表示部２において決定した表示領域２２に所定の画像を表示させ、表示領域２２以外を非表示領域２３とすることができる。図６に示す例では、所定の画像が時刻を示す画像である場合について説明するが、これに限定されない。例えば、所定の画像は、ログイン画面、メール画面等を示す画像としてもよい。
【００４２】
ステップＳ１３では、利用者は、指Ｆでタッチした表示部２の部位の近傍が表示領域２２となり、表示領域２２以外が非表示領域２３となっていることを視認している。利用者は、表示部２の表示領域２２に表示された時刻を示す画像を視認している。この場合、利用者は、表示領域２２とは反対側の表示部２の部分を視認できない。
【００４３】
上述したステップＳ１１において、利用者は、手の甲を上に向けた状態から手首を返す動作を行っている。携帯電子機器１は、ステップＳ１１として、第１状態の表示部２の全面を非表示領域２３とした状態で、接触検出部３によって表示部２に対する接触を監視することができる。
【００４４】
ステップＳ１４において、利用者は、第１状態の表示部２の表示可能領域２０において、ステップＳ１１で視認できなかった領域の視認が可能となり、視認できていた領域の視認が不能となっている。利用者は、手首を返した状態を維持したまま、他の手の指Ｆで表示領域２２としたい表示部２の表面の位置をタッチしている。このとき、利用者の指Ｆは、第１状態の表示部２の周方向２０Ｃにおける一方を指している。
【００４５】
携帯電子機器１は、ステップＳ１４として、接触検出部３を介して表示部２に対するタッチジェスチャを検出できる。携帯電子機器１は、接触検出部３の検出結果に基づいて、表示部２に対する接触位置を特定できると、当該接触位置の近傍を表示領域２２として決定できる。例えば、検出した接触位置が図３に示す分割領域２１−ｍであった場合、携帯電子機器１は、分割領域２１−ｍに隣接する分割領域２１−ｍ−１〜ｍ＋１を表示領域２２とし、それ以外の分割領域２１を非表示領域２３とすることができる。
【００４６】
携帯電子機器１は、ステップＳ１５として、表示部２において決定した表示領域２２に所定の画像を表示させ、表示領域２２以外を非表示領域２３とすることができる。ステップＳ１５では、利用者は、指Ｆでタッチした表示部２の部位の近傍が表示領域２２となり、表示領域２２以外が非表示領域２３となっていることを視認している。利用者は、表示部２の表示領域２２に表示された時刻を示す画像を視認している。
【００４７】
携帯電子機器１は、利用者の手首を周回する表示部２の表示可能領域２０において、接触物の接触を検出した接触位置の近傍にのみ表示領域２２を表示させることができる。携帯電子機器１は、表示部２において、表示領域２２以外を非表示領域２３とすることができる。携帯電子機器１は、利用者が視認し易くかつ他人は視認し難い表示部２の位置を表示領域２２とすることができる。携帯電子機器１は、利用者が視認できない表示部２の領域を非表示領域２３とすることで、電力消費を抑制することができる。利用者は、表示部２の表示可能領域２０において、表示領域２２を表示させたい位置をタッチすればよいので、携帯電子機器１を装着する向き、状態等を意識する必要がない。利用者は、表示部２において視認が可能な部分のみを表示領域２２とすることができる。また、利用者は、表示領域２２を他人に参照させたい場合、表示可能領域２０において他人が参照し易い領域をタッチすればよい。このように、携帯電子機器１は、利便性を向上し、かつプライバシーを確保することができる。
【００４８】
携帯電子機器１は、表示部２に対する接触を検出した場合、接触結果に基づいて接触物を推定し、接触物が指先であった場合、当該指先の方向に基づいて表示領域２２の上下方向を決定することができる。その結果、利用者は、接触させる指先の方向を変えるだけで、表示領域２２の上下方向を変更することができる。利用者は、携帯電子機器１の装着方向等を意識する必要がなくなる。
【００４９】
図７は、携帯電子機器１の第１状態における表示制御の一例を示すフローチャートである。図７を参照しながら、表示部２が第１状態における携帯電子機器１の表示制御の一例について説明する。図７に示す処理手順は、表示部２が第１状態の場合に、制御部１０が制御プログラム９ａを実行することによって実現される。図７に示す処理手順は、表示部２が第１状態である場合に、制御部１０によって繰り返し実行される。
【００５０】
携帯電子機器１の制御部１０は、ステップＳ１０１として、表示部２に表示領域２２を表示しているか否かを判定する。例えば、制御部１０は、表示領域データ９ｙに表示領域２２の位置、向き等が設定されていない場合に、表示領域２２を表示していないと判定する。制御部１０は、表示部２に表示領域２２を表示していると判定した場合（ステップＳ１０１でＹｅｓ）、表示領域２２を既に表示しているので、図７に示す処理手順を終了させる。
【００５１】
制御部１０は、表示部２に表示領域２２を表示していないと判定した場合（ステップＳ１０１でＮｏ）、処理をステップＳ１０２に進める。制御部１０は、ステップＳ１０２として、接触検出部３の検出結果を取得して記憶部９に記憶する。例えば、検出結果は、接触物の接触の有無を示す情報を含んでもよい。例えば、検出結果は、接触物の接触があった場合に、接触位置、接触領域等の情報を含んでもよい。
【００５２】
制御部１０は、ステップＳ１０３として、取得した検出結果に基づいて、第１状態の表示部２に接触物が接触したかを判定する。例えば、制御部１０は、検出結果が接触位置や接触領域を含んでいる場合に、接触物が接触したと判定する。制御部１０は、表示部２に接触物が接触していないと判定した場合（ステップＳ１０３でＮｏ）、図７に示す処理手順を終了させる。すなわち、制御部１０は、表示部２の表示可能領域２０の全てが非表示領域２３である状態を継続させる。
【００５３】
制御部１０は、表示部２に接触物が接触したと判定した場合（ステップＳ１０３でＹｅｓ）、処理をステップＳ１０４に進める。制御部１０は、ステップＳ１０４として、取得した検出結果に基づいて、表示部２の表示領域２２を決定する。例えば、制御部１０は、表示部２の表示可能領域２０における接触物の接触位置を基準位置として、当該接触位置の近傍を含む表示領域２２を決定する。制御部１０は、表示可能領域２０における表示領域２２以外を非表示領域２３と決定してもよい。
【００５４】
制御部１０は、ステップＳ１０５として、取得した検出結果に基づいて接触物を推定する。例えば、制御部１０は、検出結果の接触領域の外形が、予め記憶している指先のパターンと一致している場合、接触物は指先であると推定する。例えば、制御部１０は、検出結果の接触領域の輪郭が指先の輪郭パターンと一致しない場合、物体は指先ではないと推定する。例えば、制御部１０は、指先であると推定した場合、指先の輪郭パターンに基づいて指先の方向を推定することができる。
【００５５】
制御部１０は、ステップＳ１０６として、ステップＳ１０５の推定結果に基づいて、接触物は指先であるかを判定する。制御部１０は、接触物は指先であると判定した場合（ステップＳ１０６でＹｅｓ）、処理をステップＳ１０７に進める。制御部１０は、ステップＳ１０７として、指先の方向に基づいて表示領域２２の表示方向を表示領域データ９ｙに設定する。表示方向は、例えば、表示領域２２の上下方向、スクロール方向等を含む。例えば、制御部１０は、表示領域２２における指先側を上側と設定する。制御部１０は、表示可能領域２０における表示領域２２の位置及び表示領域２２における向きを表示領域データ９ｙに設定する。
【００５６】
制御部１０は、ステップＳ１０８として、予め設定されたアプリケーションを実行させる。予め定められたアプリケーションの情報は、例えば、制御プログラム９ａ、表示領域データ９ｙ及び設定データ９ｚのうちのいずれかに設定することができる。例えば、予め設定されたアプリケーションとして時計アプリケーション９ｂが対応付けられていた場合、制御部１０は、時計アプリケーション９ｂを実行させる。
【００５７】
本実施形態では、制御部１０は、予め設定されたアプリケーションを実行させる場合について説明するが、これに限定されない。予め定められたアプリケーションは、各種プログラムを含んでもよい。例えば、表示領域２２に表示する画像がログイン画面である場合、制御部１０は、制御プログラム９ａに含まれるログインのプログラムを実行させてもよい。
【００５８】
制御部１０は、ステップＳ１０９として、決定した表示部２の表示領域２２に、設定した表示方向で所定の画像を表示させる。所定の画像は、例えば、ステップＳ１０８で実行したアプリケーションの画面等を示す画像を含む。例えば、制御部１０は、表示部２に対して表示領域２２を指定して、当該領域に対する所定の画像の表示を要求する。その結果、表示部２は、表示可能領域２０における表示領域２２に所定の画像を表示し、表示領域２２以外を非表示領域２３とする。制御部１０は、表示部２に所定の画像を表示させると、図７に示す処理手順を終了させる。
【００５９】
制御部１０は、接触物は指先ではないと判定した場合（ステップＳ１０６でＮｏ）、処理をステップＳ１１０に進める。制御部１０は、ステップＳ１１０として、予め設定された方向を表示領域２２の表示方向として設定する。制御部１０は、既に説明したステップＳ１０８及びステップＳ１０９を実行する。例えば、制御部１０は、表示部２に表示領域２２を表示させると、当該表示領域２２の位置、領域等を示す情報を表示領域データ９ｙに設定してもよい。制御部１０は、表示部２に所定の画像を表示させると、図７に示す処理手順を終了させる。
【００６０】
図８Ａ及び図８Ｂは、携帯電子機器１の第１状態における表示制御の一例を示す図である。図８Ａ及び図８Ｂを参照しながら、第１状態の表示部２が表示領域２２を表示している場合に、携帯電子機器１が実行する表示領域２２の表示制御の一例について説明する。
【００６１】
携帯電子機器１は、図８Ａ及び図８Ｂに示すステップＳ２１として、表示可能領域２０における分割領域２１−９を含む表示領域２２に所定の画像を表示させている。携帯電子機器１は、表示部２における表示領域２２以外を非表示領域２３としている。例えば、ステップＳ２１では、利用者は、携帯電子機器１を装着した状態で、回転方向Ｒに手首を返している。その結果、携帯電子機器１は、手首の回転に応じて、円筒状の表示部２の中心軸Ｃに沿って回転方向Ｒに回転している。
【００６２】
例えば、携帯電子機器１は、ステップＳ２２に示すように、表示部２２の基準線２４（例えば、表示部２の長手方向における一端２ａと他端２ｂとの連結部分等）が角度θ分だけ回転方向Ｒに移動している。携帯電子機器１は、ステップＳ２２として、状態検出部７の検出結果に基づいて自機が角度θ分だけ回転したことを検出できると、表示領域２２を当該角度θ分だけ回転方向Ｒに移動させる。例えば、表示可能領域２０において基準線２４を角度θ分だけ回転された回転先が分割領域２１−１２であった場合、携帯電子機器１は、分割領域２１−１２を含む表示領域２２を移動先の表示領域２２としてもよい。携帯電子機器１は、移動先の表示領域２２を決定できると、当該移動先の表示領域２２に所定の画像を表示させる。表示領域２２の移動方法は、例えば、回転に応じて表示領域２２を移動させてもよいし、あるいは、回転が終了した後に表示領域２２を移動させてもよい。
【００６３】
携帯電子機器１は、第１状態で表示領域２２を表示部２に表示している場合、中心軸Ｃに沿った回転を検出できると、回転させた角度に応じて表示領域２２を移動させることができる。例えば、利用者は、表示領域２２を表示している携帯電子機器１を誤って回転させてしまう場合がある。例えば、利用者は、長時間にわたる携帯電子機器１の利用中に、携帯電子機器１を装着している腕の角度を変化させる場合がある。携帯電子機器１は、自機の回転を検出できた場合に、利用者から視認し易い位置に表示領域２２を移動させることができる。その結果、携帯電子機器１は、利用者の視認性が低下すること、及び表示領域２２が他人に視認されることを抑制することができる。
【００６４】
図９は、携帯電子機器１の第１状態における表示制御の一例を示すフローチャートである。図９を参照しながら、表示部２に表示領域２２を表示している場合における携帯電子機器１の制御の一例について説明する。図９に示す処理手順は、制御部１０が制御プログラム９ａを実行することによって実現される。図９に示す処理手順は、表示部２が第１状態である場合に、制御部１０によって繰り返し実行される。
【００６５】
携帯電子機器１の制御部１０は、ステップＳ２０１として、表示部２に表示領域２２を表示しているか否かを判定する。例えば、制御部１０は、表示領域データ９ｙに表示領域２２の位置、向き等が設定されている場合に、表示領域２２を表示していると判定する。制御部１０は、表示部２に表示領域２２を表示していないと判定した場合（ステップＳ２０１でＮｏ）、図９に示す処理手順を終了させる。
【００６６】
制御部１０は、表示部２に表示領域２２を表示していると判定した場合（ステップＳ２０１でＹｅｓ）、処理をステップＳ２０２に進める。制御部１０は、ステップＳ２０２として、状態検出部７の検出結果を取得して記憶部９に記憶する。例えば、検出結果は、表示部２の姿勢、回転角度等に関する情報を含む。
【００６７】
制御部１０は、ステップＳ２０３として、取得した検出結果に基づいて、表示部２の中心軸Ｃに沿った回転を検出したかを判定する、例えば、制御部１０は、検出結果に回転角度が含まれている場合に、回転を検出したと判定する。制御部１０は、回転を検出していないと判定した場合（ステップＳ２０３でＮｏ）、自機が利用者によって回転されていないので、図９に示す処理手順を終了させる。
【００６８】
制御部１０は、回転を検出したと判定した場合（ステップＳ２０３でＹｅｓ）、処理をステップＳ２０４に進める。制御部１０は、ステップＳ２０４として、取得した検出結果に基づいて、利用者が回転させた角度θを特定して記憶部９に記憶する。
【００６９】
制御部１０は、ステップＳ２０５として、回転させた角度に応じて表示部２の表示領域２２を移動させる。例えば、制御部１０は、回転させた角度θ分だけ回転方向Ｒに回転させた場合の表示可能領域２０における新たな表示領域２２を特定し、当該新たな表示領域２２に対する所定の画像の表示を要求する。その結果、表示部２は、表示可能領域２０における新たな表示領域２２に所定の画像を表示し、新たな表示領域２２以外を非表示領域２３とする。制御部１０は、表示部２に所定の画像を表示させると、図９に示す処理手順を終了させる。
【００７０】
図１０は、携帯電子機器１の第１状態における表示制御の他の一例を示す図である。図１０を参照しながら、第１状態の表示部２が表示領域２２を表示している場合に、携帯電子機器１が実行する表示領域２２の表示制御の他の一例について説明する。
【００７１】
記憶部９の設定データ９ｚは、表示部２が回転された角度に応じて移動した表示領域２２の画像を他の画像に変更する機能を有効とするか否かを示す情報を含んでもよい。設定データ９ｚは、例えば、表示部２が回転された角度の範囲と、変更する画像のアプリケーションとを紐付ける情報を含んでもよい。例えば、設定データ９ｚは、表示部２の回転に対応した角度と、時計アプリケーション９ｂとを紐付ける情報を含んでもよい。設定データ９ｚは、例えば、表示している画像に対応したアプリケーションと、表示部２が回転された角度の範囲と、変更する画像に対応したアプリケーションとを紐付ける情報を含んでもよい。
【００７２】
図１０に示す例では、設定データ９ｚには、表示部２が回転された角度に応じて移動した表示領域２２の画像を他の画像に変更する機能を有効とする情報が設定されている。設定データ９ｚには、メールアプリケーション９ｃに対応した画像を表示領域２２に表示している場合に、所定の回転角度とメールアプリケーション９ｃとを紐付ける情報を有している。
【００７３】
図１０に示すステップＳ３１では、利用者は、表示部２を略円筒形状に変形させた携帯電子機器１を手首に装着している。利用者は、手の甲を上に向けた状態の手首を回転方向Ｒに回転させている。携帯電子機器１は、ステップＳ３１として、第１状態の表示部２の一部を表示領域２２とし、表示領域２２以外を非表示領域２３としている。携帯電子機器１は、メールアプリケーション９ｃに対応した画像Ｇ１を、表示部２の表示領域２２に表示している。画像Ｇ１は、例えば、受信したメールを表示する画像を含む。
【００７４】
携帯電子機器１は、ステップＳ３２として、状態検出部７の検出結果に基づいて、利用者による自機の回転を検出できると、当該回転した角度を特定できる。携帯電子機器１は、設定データ９ｚと特定した角度とに基づいて、回転した角度に対応したアプリケーションが時計アプリケーション９ｂであると特定できる。図１０に示す例では、特定できた時計アプリケーション９ｂは、表示している画像に対応したメールアプリケーション９ｃと異なっている。この場合、携帯電子機器１は、回転させた角度に応じて表示部２の表示領域２２を移動させ、当該表示領域２２以外を非表示領域２３とすることができる。携帯電子機器１は、メールアプリケーション９ｃに対応した画像Ｇ１から時計アプリケーション９ｂに対応した画像Ｇ２へ、当該表示領域２２として表示する画像を変更できる。
【００７５】
ステップＳ３２では、利用者は、表示部２において表示領域２２が移動されたことを認識している。利用者は、メールアプリケーション９ｃに対応した画像Ｇ１から、時計アプリケーション９ｂに対応した画像Ｇ２に、表示領域２２の画像が変化したことを認識している。
【００７６】
携帯電子機器１は、自機の回転を検出できると、回転させた角度に応じて表示領域２２を移動させるとともに、回転させた角度に対応する位置の画像へ表示を変更することができる。利用者は、自機を回転させるジェスチャ動作によって表示領域２２の表示内容を切り替えることができる。利用者は、簡単なジェスチャ動作により、一時的に確認したい情報等を表示領域２２に表示させることができる。その結果、携帯電子機器１は、操作性を向上させることができる。
【００７７】
例えば、携帯電子機器１は、自機における一方向への回転に応じて画像を変更した後、他方向への回転を検出できると、移動させた表示領域２２に変更前の画像を表示させてもよい。例えば、携帯電子機器１は、自機における一方向への回転に応じて画像を変更した後、所定の操作を検出できると、表示領域２２に変更前の画像を表示させてもよい。所定の操作は、例えば、表示部２に対する予め定められたジェスチャを含む。
【００７８】
図１１は、携帯電子機器１の第１状態における表示制御の他の一例を示すフローチャートである。図１１を参照しながら、表示部２に表示領域２２を表示している場合における携帯電子機器１の制御の他の一例について説明する。図１１に示す処理手順は、制御部１０が制御プログラム９ａを実行することによって実現される。図１１に示す処理手順は、表示部２が第１状態である場合に、制御部１０によって繰り返し実行される。
【００７９】
図１１に示す例では、ステップＳ２０１からステップＳ２０５の処理は、図９に示すステップＳ２０１からステップＳ２０５の処理と同一であるため、異なる部分のみを説明し、同一部分の説明は省略する。
【００８０】
図１１に示すように、携帯電子機器１の制御部１０は、既に説明したステップＳ２０５の処理が終了すると、処理をステップＳ２０６に進める。制御部１０は、ステップＳ２０６として、回転させた角度に対応するアプリケーションを特定する。例えば、制御部１０は、回転させた角度と設定データ９ｚとを比較し、回転させた角度に紐付けられたアプリケーションを特定する。
【００８１】
制御部１０は、ステップＳ２０７として、特定したアプリケーションと表示領域２２に表示している画像に対応したアプリケーションとが異なるアプリケーションであるかを判定する。制御部１０は、異なるアプリケーションではないと判定した場合（ステップＳ２０７でＮｏ）、同じアプリケーションであるので、処理をステップＳ２０８に進める。制御部１０は、ステップＳ２０８として、移動させた表示領域２２に表示している画像の表示を継続させる。制御部１０は、処理が終了すると、図１１に示す処理手順を終了させる。
【００８２】
制御部１０は、異なるアプリケーションであると判定した場合（ステップＳ２０７でＹｅｓ）、処理をステップＳ２０９に進める。制御部１０は、ステップＳ２０９として、回転させた角度に対応するアプリケーションを実行させる。例えば、制御部１０は、回転させた角度に対応するアプリケーションを既に実行させている場合、当該アプリケーションの実行を継続させてもよい。例えば、制御部１０は、回転させた角度に対応するアプリケーションを既に実行させている場合、ステップＳ２０９の処理を実行しなくてもよい。
【００８３】
制御部１０は、ステップＳ２１０として、回転させた角度に対応するアプリケーションの画像に表示領域２２の表示を変更させる。例えば、制御部１０は、移動させた表示領域２２に対する新たな画像の表示を要求する。その結果、表示部２は、移動させた表示領域２２に新たな画像を表示し、表示領域２２以外を非表示領域２３とする。制御部１０は、表示領域２２の表示を変更させると、図１１に示す処理手順を終了させる。
【００８４】
図１１に示す処理手順では、制御部１０は、表示領域２２を移動させた後に、当該表示領域２２の表示を変更させる場合について説明したが、これに限定されない。例えば、制御部１０は、回転の検出に応じて表示領域２２の表示を変更した後に、当該表示領域２２を移動させてもよい。
【００８５】
本出願の開示する実施形態は、本出願の要旨及び範囲を逸脱しない範囲で変更することができる。さらに、本出願の開示する実施形態は、適宜組み合わせることができる。例えば、上記の実施形態は、以下のように変形してもよい。
【００８６】
例えば、図１に示した各ブロックは、複数のモジュールに分割されていてもよいし、他のブロックと結合されていてもよい。
【００８７】
上記の実施形態では、携帯電子機器１は、利用者の手首等の装着部に装着された場合について説明したが、これに限定されない。携帯電子機器１は、利用者の装着部に装着されずに、円筒状の第１状態となった場合に、上述した処理を実行してもよい。
【００８８】
上記の実施形態では、携帯電子機器１は、表示部２の一方の主面を表示面とする場合について説明したが、これに限定されない。例えば、携帯電子機器１は、表示部２の両面を表示可能な構成としてもよい。この場合、携帯電子機器１は、表示部２の両面に接触検出部３を積層してもよい。例えば、携帯電子機器１は、表示部２の両面に設けた接触検出部３を用いて、接触物との接触面積が小さい側を表示部２の表示面として機能させるようにしてもよい。
【００８９】
上記の携帯電子機器１は、図２に示すように、利用者の手首等に装着されていない第２状態である場合、表示部２を全画面表示させてもよい。携帯電子機器１は、第２状態である場合、第１状態と同様に、表示部２の一部を表示領域２２とし、当該表示領域２２以外を非表示領域２３としてもよい。携帯電子機器１は、第２状態における表示部２の表示態様を、利用者が設定可能としてもよい。
【００９０】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００９１】
１  携帯電子機器
２  表示部
３  接触検出部
６  通信部
７  状態検出部
９  記憶部
９ａ  制御プログラム
９ｂ  時計アプリケーション
９ｃ  メールアプリケーション
９ｙ  表示領域データ
９ｚ  設定データ
１０  制御部
【図１】
0006543173.tif 000002
【図２】
0006543173.tif 000003
【図３】
0006543173.tif 000004
【図４】
0006543173.tif 000005
【図５】
0006543173.tif 000006
【図６】
0006543173.tif 000007
【図７】
0006543173.tif 000008
【図８Ａ】
0006543173.tif 000009
【図８Ｂ】
0006543173.tif 000010
【図９】
0006543173.tif 000011
【図１０】
0006543173.tif 000012
【図１１】
0006543173.tif 000013